(57)【要約】【課題】２物体間の相対変位量の視認による記録容易性の向上を図り得る変位記録装置を提供する。【解決手段】第１部材１１が第２部材１２ に対して相対的に変位した場合、長尺部材２０がその緊張力によって第１箇所Ｐ１と中間箇所Ｐ０との間隔が長くなり、第２箇所Ｐ２に固定されている第１要素２１が中間箇所Ｐ０に接近するように変位する。この際、第１要素２１により直接的または間接的に押されることで、複数の 標識部材２２１のそれぞれの元の場所からの変位の有無が第１要素２１の変位の痕跡として長尺部材２０に残される。元の場所からの各標識部材２２１の変位状態の視認結果を通じて長尺部材２０がその 第１箇所Ｐ１とこれに最も近い中間箇所Ｐ０との間隔の最大変化量が記録される。【選択図】図１
2018204986.tif 000002
【特許請求の範囲】
【請求項１】
相対的に変位可能な第１部材および第２部材と、
第１箇所で前記第１部材に対して固定され、かつ、中間箇所で前記第２部材に巻き掛けまたは回し掛けられ ている長尺部材  と、
前記長尺部材の前記中間箇所を挟んで前記第１箇所とは反対側にある第２箇所において前記長尺部材に対して固定され、かつ、前記長尺部材の前記第１箇所および前記中間箇所の間で前記長尺部材に対して変位可能に設けられている第１要素と、
前記長尺部材に対して変位する前記第１要素との相互作用により視認可能な痕跡を前記長尺部材に残存させるように、前記長尺部材に設けられている第２要素と、を備えていることを特徴とする変位記録装置。
【請求項２】
請求項１記載の変位記録装置において、
前記第２要素が、前記長尺部材に沿って離散的に取り付けられ、前記長尺部材に沿って変位する前記第１要素から作用する外力にしたがって変位し、かつ、当該外力から解放された際にその箇所で停留する複数の標識部材により構成されていることを特徴とする変位記録装置。
【請求項３】
請求項１記載の変位記録装置において、
前記第２要素が、前記長尺部材に沿って離散的に付された複数の標識と、前記複数の標識とは異なる色を有し、前記複数の標識を覆い、前記長尺部材に沿って変位する前記第１要素により剥離される被覆と、により構成されていることを特徴とする変位記録装置。
【請求項４】
請求項１記載の変位記録装置において、
前記第２要素が、前記長尺部材の下地とは異なる色を有し、前記長尺部材に沿って変位する前記第１要素により剥離される断続的な複数の被覆要素により構成されていることを特徴とする変位記録装置。
【請求項５】
請求項１〜４のうちいずれか１つに記載の変位記録装置において、
前記第１部材が前記第２部材に対して相互に反対向きの第１方向および第２方向のそれぞれに相対的に変位可能であり、
前記長尺部材の前記第１箇所が、 前記中間箇所よりも前記第１方向に離間して配置されていることを特徴とする変位記録装置。
【請求項６】
請求項５記載の変位記録装置において、
前記第１箇所が、当該第１箇所に最も近い前記中間箇所よりも前記第１方向に離間して配置されている第１長尺部材と、前記第１箇所が、当該第１箇所に最も近い前記中間箇所よりも前記第２方向に離間して配置されている第２長尺部材と、を前記長尺部材として備えていることを特徴とする変位記録装置。
【請求項７】
相対的に変位可能な第１部材および第２部材と、
一の箇所で前記第１部材に対して固定されている長尺部材と、
前記第２部材に対して固定され、前記長尺部材を他の箇所で変位可能に支持する第１要素と、
前記長尺部材が前記第１要素に対して変位する際に、前記第１要素との相互作用により視認可能な痕跡を前記長尺部材に残存させるように、前記長尺部材に設けられている第２要素と、を備えていることを特徴とする変位記録装置。 
【発明の詳細な説明】
【技術分野】
【０００１】
本発明は、２物体間の相対変位量を記録 する技術に関する。
【背景技術】
【０００２】
低コストでかつ簡便に２物体間の相対変位量を記録する装置が提案されている（特許文献１および２参照）。この装置によれば、第１部材および第２部材が相対的に離間する方向 に変位した場合、第１部材および第２部材の間に介在する紐状の第３部材が伸長する。その一方、第１部材および第２部材が相対的に移動しない場合または相互に近接する方向に移動した場合、第３部材の当該伸長状態が維持される。そして、第３部材の伸長量が、当該第３部材に付されている目盛りの視認によって記録される。これにより、例えば、上部構造物と下部構造物との間に取り付けられる免震装置において、免震装置に設けられる積層ゴム体が経験した上部および下部構造物間の相対変位量が記録される。
【先行技術文献】
【特許文献】
【０００３】
【特許文献１】特開２０１５−０４０７３６号公報
【特許文献２】特開２０１５−０４０７３７号公報
【発明の概要】
【発明が解決しようとする課題】
【０００４】
しかし、変位記録装置が長期間にわたって外気に曝されているため、汚れが付着して目盛りの視認作業が困難になる場合がある。また、地震動により、変位記録装置が取り付けられている構造物またはその周辺の状態が変化することで、目盛りを視認可能な位置まで作業者が接近することが困難になる場合がある。
【０００５】
そこで、本発明は、２物体間の相対変位量の視認による記録容易性の向上を図り得る変位記録装置を提供することを目的とする。
【課題を解決するための手段】
【０００６】
本発明の第１態様としての変位記録装置は、相対的に変位可能な第１部材および第２部材と、第１箇所で前記第１部材に対して固定され、かつ、中間箇所で前記第２部材に巻き掛けまたは回し掛けられている長尺部材と、前記長尺部材の前記中間箇所を挟んで前記第１箇所とは反対側にある第２箇所において前記長尺部材に対して固定され、かつ、前記長尺部材の前記第１箇所および前記中間箇所の間で前記長尺部材に対して変位可能に設けられている第１要素と、前記長尺部材に対して変位する前記第１要素との相互作用により視認可能な痕跡を前記長尺部材に残存させるように、前記長尺部材に設けられている第２要素と、を備えていることを特徴とする。
【０００７】
本発明の第１態様としての変位記録装置によれば、長尺部材の第１箇所と中間箇所（複数の中間箇所が存在する場合には第１箇所に最も近い第１中間箇所）との間隔が長くなるように第１部材および第２部材が相対的に変位した場合、長尺部材の緊張力により第２箇所、ひいては第２箇所に固定されている第１要素が中間箇所（複数の中間箇所が存在する場合には第２箇所に最も近い第２中間箇所）に接近するように変位する。この際、長尺部材に設けられている第２要素が第１要素と相互作用することにより、第１要素の変位の痕跡を長尺部材に残存させる。よって、第１部材（またはこれに固定されている第１物体）および第２部材（またはこれに固定されている第２物体）の相対的な変位量が、当該痕跡（ひいてはこの視認結果に応じた長尺部材の第１箇所およびこれに最も近い中間箇所の間隔の最大変化量）の視認が容易な形で記録されうる。
【０００８】
本発明の第１態様としての変位記録装置において、前記第２要素が、前記長尺部材に沿って離散的に取り付けられ、前記長尺部材に沿って変位する前記第１要素から作用する外力にしたがって変位し、かつ、当該外力から解放された際にその箇所で停留する複数の標識部材により構成されていることが好ましい。
【０００９】
当該構成の変位記録装置によれば、第２要素を構成する複数の標識部材のうち、元の場所から中間箇所に接近するように変位したうえで停留している部材が第１要素の変位の痕跡として長尺部材に残存する。よって、複数の標識部材のそれぞれの元の場所からの変位状態を通じて第１部材および第２部材の相対的な変位量が容易に視認可能な形で記録されうる。
【００１０】
本発明の第１態様としての変位記録装置において、前記第２要素が、前記長尺部材に沿って離散的に付された複数の標識と、前記複数の標識とは異なる色を有し、前記複数の標識を覆い、前記長尺部材に沿って変位する前記第１要素により剥離される被覆と、により構成されていることが好ましい。
【００１１】
当該構成の変位記録装置によれば、第２要素を構成する複数の標識のうち、同じく第２要素を構成する被覆が剥離されることによって露出された標識が第１要素の変位の痕跡として長尺部材に残存する。被覆の色および当該被覆が剥離されることにより露出される標識の色は相違するため、両者の視認による識別の容易が図られている。よって、複数の標識のそれぞれの露出状態または被覆状態を通じて、第１部材および第２部材の相対的な変位量が視認容易な形で記録されうる。
【００１２】
本発明の第１態様としての変位記録装置において、前記第２要素が、前記長尺部材の下地とは異なる色を有し、前記長尺部材に沿って変位する前記第１要素により剥離される断続的な複数の被覆要素により構成されていることが好ましい。
【００１３】
当該構成の変位記録装置によれば、第２要素を構成する複数の被覆要素のうち、長尺部材から剥離された被覆要素が第１要素の変位の痕跡として長尺部材に残存する。被覆要素の色および長尺部材の下地の色は相違するため、両者の視認による識別の容易が図られている。複数の被覆要素のそれぞれの剥離状態を通じて、第１部材および第２部材の相対的な変位量が視認容易な形で記録されうる。
【００１４】
本発明の第１態様としての変位記録装置において、前記第１部材が前記第２部材に対して相互に反対向きの第１方向および第２方向のそれぞれに相対的に変位可能であり、前記長尺部材の前記第１箇所が、当該第１箇所に最も近い前記中間箇所よりも前記第１方向に離間して配置されていることが好ましい。
【００１５】
当該構成の変位記録装置によれば、第１部材が第２部材に対して第１方向に相対的に変位した場合は長尺部材の第１箇所とこれに最も近い中間箇所との間隔が長くなる一方、第１部材が第２部材に対して第２方向に相対的に変位した場合は当該間隔が短くなる（ただし、その後で当該間隔が長くなる可能性がある）。このため、前者の場合は第２要素により長尺部材に第１要素の変位の痕跡が残される一方、後者の場合は長尺部材に当該痕跡は残されない。よって、長尺部材の痕跡の状態に基づき、第１部材の第２部材に対する第１方向への相対的な変位量が視認容易な形で記録されうる。
【００１６】
本発明の第１態様としての変位記録装置において、前記第１箇所が、当該第１箇所に最も近い前記中間箇所よりも前記第１方向に離間して配置されている第１長尺部材と、前記第１箇所が、当該第１箇所に最も近い前記中間箇所よりも前記第２方向に離間して配置されている第２長尺部材と、を前記長尺部材として備えていることが好ましい。
【００１７】
当該構成の変位記録装置によれば、第１長尺部材および第２長尺部材のそれぞれにおける痕跡の状態を通じて、第１部材の第２部材に対する第１方向および第２方向のそれぞれについて相対的な変位量が視認容易な形で記録されうる。
【００１８】
本発明の第２態様としての変位記録装置は、相対的に変位可能な第１部材および第２部材と、一の箇所で前記第１部材に対して固定されている長尺部材と、前記第２部材に対して固定され、前記長尺部材を他の箇所で変位可能に支持する第１要素と、前記長尺部材が前記第１要素に対して変位する際に、前記第１要素との相互作用により視認可能な痕跡を前記長尺部材に残存させるように、前記長尺部材に設けられている第２要素と、を備えていることを特徴とする。
【００１９】
本発明の第２態様としての変位記録装置によれば、長尺部材の一の箇所と他の箇所（複数の他の箇所が存在する場合には当該一の箇所に最も近い他の箇所）との間隔が長くなるように第１部材および第２部材が相対的に変位した場合、長尺部材がその緊張力により、第２部材に固定されている第１要素に対して変位する。この際、長尺部材に設けられている第２要素が第１要素と相互作用することにより、第１要素の変位の痕跡を長尺部材に残存させる。よって、第１部材（またはこれに固定されている第１物体）および第２部材（またはこれに固定されている第２物体）の相対的な変位量が、当該痕跡（ひいてはこの視認結果に応じた長尺部材の一の箇所およびこれに最も近い他の箇所の間隔の最大変化量）が視認容易な形で記録されうる。
【図面の簡単な説明】
【００２０】
【図１】本発明の第１実施形態としての変位記録装置の構成に関する説明図。
【図２Ａ】本発明の第１実施形態としての変位記録装置の作用に関する説明図。
【図２Ｂ】本発明の第１実施形態としての変位記録装置の効果に関する説明図。
【図３】本発明の第２実施形態としての変位記録装置の構成に関する説明図。
【図４Ａ】第２要素の構成に関する説明図（実施例１）。
【図４Ｂ】第２要素の作用に関する説明図（実施例１）。
【図４Ｃ】第２要素の構成に関する説明図（実施例２）。
【図４Ｄ】第２要素の作用に関する説明図（実施例２）。
【図５】本発明の第２実施形態としての変位記録装置の作用に関する説明図。
【図６】本発明の第３実施形態としての変位記録装置の作用に関する説明図。
【図７Ａ】本発明の第３実施形態としての変位記録装置の作用に関する説明図。
【図７Ｂ】本発明の第３実施形態としての変位記録装置の作用に関する説明図。
【図８】本発明の第４実施形態としての変位記録装置の作用に関する説明図。
【図９】本発明の第５実施形態としての変位記録装置の作用に関する説明図。
【発明を実施するための形態】
【００２１】
（第１実施形態）
（構成）
図１に示されている本発明の第１実施形態としての変位記録装置は、相対的に変位可能な第１部材１１および第２部材１２と、長尺部材２０（ワイヤ（線状部材）、チェーン、ベルト（帯状部材） など）と、第１要素２１と、第２要素２２と、を備えている。変位記録装置は、例えば免震装置を構成する上側フランジプレートおよび下側フランジプレートの相対変位量（最大値）を記録するために用いられる。
【００２２】
第１部材１１が下側フランジプレートにより構成され、第２部材１２は上側フランジプレートにより構成されている。免震装置を構成する上側フランジプレートおよび下側フランジプレートの間には積層ゴム体１０が介装されている。第１部材１１が下側フランジプレートに固定されている部材により構成されてもよい。同様に、第２部材１２が上側フランジプレートに固定されている部材により構成されていてもよい。
【００２３】
長尺部材２０は、金属ワイヤのように長手方向に伸縮しにくい 部材により構成されている。長尺部材２０は、第１箇所Ｐ１（第１端部）で第１部材１１に対して固定された固定部材１１２に対して固定されている。長尺部材２０は、中間箇所Ｐ０で第２部材１２ に固定された支持部材１２２に回し掛けられている。支持部材１２２がプーリにより構成され、長尺部材２０が中間箇所Ｐ０において支持部材１２２に巻き掛けられていてもよい。
【００２４】
第１要素２１は、長尺部材２０の中間箇所Ｐ０を挟んで第１箇所Ｐ１とは反対側にある第２箇所Ｐ２（第２端部）において長尺部材２０に対して固定されている。その一方、第１要素２１は、長尺部材２０の第１箇所Ｐ１および中間箇所Ｐ０の間で長尺部材２０に対して変位可能に設けられている。第１要素２１は、例えばコードストッパーのように、第１基体および第２基体と、第２基体を第１基体に引き寄せるように付勢する弾性要素（ばね部材）と、を備えている。長尺部材２０が第１箇所Ｐ１および中間箇所Ｐ０の間で弾性要素の付勢力によって第１基体および第２基体に挟み込まれている。第１要素２１は、当該付勢力よりも強い一定の外力を受けた際、当該外力にしたがって長尺部材２０に沿って変位またはスライドすることができる。第１要素２１は、中間箇所Ｐ０に接近するように変位した後で、外力が弱まった場合、長尺部材２０に沿ってスライドすることなくその場に停留する。
【００２５】
第２要素２２は、長尺部材２０に対して変位する第１要素２１との相互作用により視認可能な痕跡を長尺部材２０に残存させるように、長尺部材２０に設けられている。本実施形態では、第２要素２２が、長尺部材２０に離散的に取り付けられている複数（例えば５つ）の標識部材２２１により構成されている。隣り合う標識部材２２１の間隔は、第１要素２１の変位量の目標記録精度に応じて設定されている。標識部材２２１の個数および間隔はさまざまに変更されてもよい。各標識部材２２１は、長尺部材２０に沿って変位する第１要素２１から作用する外力にしたがって変位し、かつ、当該外力から解放された際にその箇所で停留する。標識部材２２１は、例えば穴あきビーズのように長尺部材２０の径とほぼ同径の貫通孔を有し、当該貫通孔に長尺部材２０が挿通された状態で、長尺部材２０に対して取り付けられている。
【００２６】
（作用・効果）
前記構成の変位記録装置によれば、図２Ａに示されているように第１部材１１ が第２部材１２に対して相対的に変位した場合（黒矢印参照）、長尺部材２０がその緊張力によって第１箇所Ｐ１と中間箇所Ｐ０との間隔が長くなり、第２箇所Ｐ２に固定されている第１要素２１が中間箇所Ｐ０に接近するように変位する（白矢印参照）。この際、第１要素２１により直接的または間接的に押されることで、複数の 標識部材２２１のそれぞれの元の場所からの変位の有無が第１要素２１の変位の痕跡として長尺部材２０に残される。図２Ｂに示されているように第１部材１１および第２部材１２の相対的な位置が元に戻った後、元の場所からの各標識部材２２１の変位状態を通じて、長尺部材２０の第１箇所Ｐ１と中間箇所Ｐ０との間隔の最大変化量、ひいては第１部材１１および第２部材１２の相対的な変位量（最大変位量）が視認容易な形で記録されうる。 
【００２７】
（第２実施形態）
（構成）
図３に示されている本発明の第２実施形態としての変位記録装置は、第１部材１１が上側フランジプレートにより構成され、第２部材１２は下側フランジプレートにより構成されている。図４Ａおよび図４Ｃに示されているように、第２要素２２が、長尺部材２０に沿って離散的に付された複数の標識２２２と、複数の標識２２２を覆う被覆２２４と、により構成されている。複数の標識２２２は、塗料が長尺部材２０にコーティングされることで長尺部材２０に付されている。被覆２２４は、例えば合成樹脂、具体的にはフッ素樹脂、エポキシ樹脂及び塩化ビニル樹脂等が長尺部材２０にコーティングまたはライニングされることで標識２２２を覆うように長尺部材２０に付されている。 複数の標識２２２の色と被覆２２４の色とは相違している。その他の構成は、第１実施形態と同様であるため、同一の構成または対応する構成に関しては同一の符号を用いるとともに説明を省略する。
【００２８】
図４Ａに示されている実施例１の第２要素２２において、複数の標識２２２は相互に離間している。隣り合う標識２２２の間隔は、第１要素２１の変位量の目標記録精度に応じて設定されている。標識２２２の個数、幅および間隔はさまざまに変更されてもよい。隣り合う標識２２２の色は同一であってもよいし相違していてもよい。複数の標識２２のそれぞれの色が、第１要素２１の変位距離の長短に応じて差別化されていてもよい。
【００２９】
図４Ｃに示されている実施例２の第２要素２２２ において、複数の標識２２２は相互に隣接している。各標識２２２の幅は、第１要素２１の変位量の目標記録精度に応じて設定されている。標識２２２の個数、幅および間隔はさまざまに変更されてもよい。隣接する標識２２２の色は相違している。複数の標識２２２ のそれぞれの色が、第１要素２１の変位距離の長短に応じて差別化されていてもよい。
【００３０】
（作用・効果）
前記構成の変位記録装置によれば、図５に示されているように第１部材１１が第２部材１２に対して相対的に変位した場合（黒矢印参照）、長尺部材２０がその緊張力によって第１箇所Ｐ１と中間箇所Ｐ０との間隔が長くなり、第２箇所Ｐ２に固定されている第１要素２１が中間箇所Ｐ０に接近するように変位する（白矢印参照）。この際、第１要素２１により長尺部材２０から被覆２２４が剥離されることにより、図４Ｂおよび図４Ｄに示されているように露出された標識２２２が第１要素２１の変位の痕跡として長尺部材２０に残存する。被覆２２４の色および当該被覆２２４が剥離されることにより露出される標識２２２の色は相違するため、両者の視認による識別の容易が図られている。よって、複数の標識２２２のそれぞれの露出状態または被覆状態を通じて、第１部材１１および第２部材１２の相対的な変位量が視認容易な形で記録されうる。
【００３１】
（第３実施形態）
（構成）
図６に示されている本発明の第３実施形態としての変位記録装置は、第１部材１１が第２部材１２に対して相互に反対向きの第１方向Ｘ１および第２方向Ｘ２のそれぞれに相対的に変位可能である（この点は第１および第２実施形態と同様である。）。長尺部材２０の第１箇所Ｐ１は、 中間箇所Ｐ０の垂直位置 よりも第１方向Ｘ１に離間して配置されている。すなわち、中間箇所Ｐ０を通り、第１方向Ｘ１および第２方向Ｘ２を垂線 方向とする仮想的な平面Ｓを基準として、第１箇所Ｐ１が第１方向Ｘ１に離間するように長尺部材２０が第１部材１１に固定され、かつ、第２部材１２２ に回し掛けされている。その他の構成は、第２実施形態と同様であるため、同一の構成または対応する構成に関しては同一の符号を用いるとともに説明を省略する。
【００３２】
（作用・効果） 
前記構成の変位記録装置によれば、図７Ａに示されているように第１部材１１が第２部材１２に対して第１方向Ｘ１に相対的に変位した場合（黒矢印参照）、長尺部材２０の第１箇所Ｐ１と中間 箇所Ｐ０との間隔が長くなり、第２箇所Ｐ２に固定されている第１要素２１が中間箇所Ｐ０に接近するように変位する（白矢印参照）。その一方、図７Ｂに示されているように第１部材１１が第２部材１２に対して第２方向Ｘ２に相対的に変位した場合（黒矢印参照）、当該間隔が短くなり、長尺部材２０が撓んで第１要素２１は変位しない。このため、前者の場合は第２要素２２により長尺部材２０に第１要素２１の変位の痕跡が残される一方（図４Ｂおよび図４Ｄ参照）、後者の場合は長尺部材２０に当該痕跡は残されない。よって、長尺部材２０の痕跡の状態を通じて、第１部材１１の第２部材１２に対する第１方向Ｘ１への相対的な変位量が視認容易な形で記録されうる。
【００３３】
（第４実施形態）
（構成）
図８に示されている本発明の第４実施形態としての変位記録装置は、第２部材１２に第１支持部材１２２および第２支持部材１２４が取り付けられている。長尺部材２０は、第１箇所Ｐ１（第１端部）に 第１中間箇所Ｐ０１で第１支持部材１２２に回し掛けられている。長尺部材２０は、第２箇所Ｐ２（第２端部）に 第２中間箇所Ｐ０２で第２支持部材１２４に回し掛けられている。
【００３４】
第２箇所Ｐ２（第２端部）において長尺部材２０に対して固定されている第１要素２１は、長尺部材２０の第１中間箇所Ｐ０１および第２中間箇所Ｐ０２ の間で長尺部材２０に対して変位可能に設けられている。その他の構成は、第３実施形態と同様であるため、同一の構成または対応する構成に関しては同一の符号を用いるとともに説明を省略する。
【００３５】
（作用・効果） 
第２部材１２の上面視において、その輪郭または境界線の内側に収まるように変位記録装置を配置することができるので、工事期間中に変位記録装置が損傷しにくい。また、変位記録装置が第２部材１２に固定されていることから、風等によって損傷しにくい。 
【００３６】
（第５実施形態）
（構成）  
図９に示されている本発明の第５実施形態としての変位記録装置は、一の箇所Ｑ１で第１部材１１に対して固定されている長尺部材２０と、第２部材１２に対して固定され、長尺部材２０を他の箇所Ｑ２で変位可能に支持する第１要素２１と、長尺部材２０が第１要素２１に対して変位する際に、第１要素２１との相互作用により視認可能な痕跡を長尺部材２０に残存させるように、長尺部材２０に設けられている第２要素２２と、を備えている。
【００３７】
第１要素２１には、貫通孔または上下に開口しているスリットが形成され、当該貫通孔の内周面に対して摺動可能に挿通され、または、当該スリットの対向する一対の側面に対して摺動可能に挟持されている。第２要素２２は、第２実施形態と同様に、長尺部材２０に沿って離散的に付された複数の標識２２２と、複数の標識２２２を覆う被覆２２４と、により構成されている（図４Ａおよび図４Ｃ参照）。第２要素２２は、長尺部材２０の一の箇所Ｑ１から見て第１要素２１の反対側にのみ設けられていてもよい。
【００３８】
第１部材１１および第２部材１２の上下関係が逆転していてもよい。第１要素２１は、第２部材１２ の一部により構成されていてもよい。第２要素２２は、第１実施形態と同様に、長尺部材２０の一の箇所Ｑ１から見て第１要素２１の反対側に離散的に取り付けられている複数の標識部材２２１により構成されていてもよい（図１参照）。
【００３９】
（作用・効果）
本発明の第５実施形態としての変位記録装置によれば、長尺部材２０の一の箇所Ｑ１と他の箇所Ｑ２との間隔が長くなるように第１部材１１および第２部材１２が相対的に変位した場合、長尺部材２０がその緊張力により、第２部材１２に固定されている第１要素２１に対して変位する。この際、長尺部材２０に設けられている第２要素２２が第１要素２１と相互作用することにより、第１要素２１の変位の痕跡を長尺部材２０に残存させる（図４Ｂおよび図４Ｄ参照）。よって、第１部材１１および第２部材１２の相対的な変位量が、当該痕跡（ひいてはこの視認結果に応じた長尺部材の一の箇所およびこれに最も近い他の箇所の間隔の最大変化量）の視認が容易な形で記録されうる。 
【００４０】
（本発明の他の実施形態）
第２要素２２が、長尺部材２０の下地とは異なる色を有し、長尺部材２０に沿って変位する第１要素２１により剥離される断続的な複数の被覆要素により構成されていてもよい。
【００４１】
当該構成の変位記録装置によれば、第２要素２２を構成する複数の被覆要素のうち、長尺部材から剥離された被覆が第１要素の変位の痕跡として長尺部材２０から除去される。被覆要素の色および長尺部材２０の下地の色は相違するため、両者の視認による識別の容易が図られている。複数の被覆要素のそれぞれの剥離状態を通じて第１部材１１および第２部材１２の相対的な変位量が視認容易な形で記録されうる。
【００４２】
本発明の第３実施形態および第４実施形態の変位記録装置が、長尺部材２０（第１長尺部材）のほか、第１箇所Ｐ１が、当該第１箇所Ｐ１に最も近い中間箇所よりも第２方向Ｘ２に離間して配置されている第２長尺部材をさらに備えていてもよい。
【００４３】
当該構成の変位記録装置によれば、第１長尺部材および第２長尺部材のそれぞれにおける痕跡の状態を通じて、第１部材１１の第２部材１２に対する第１方向Ｘ１および第２方向Ｘ２のそれぞれについて相対的な変位量が視認容易な形で記録されうる。
【００４４】
本発明の第３実施形態および第４実施形態としての変位記録装置において、第２要素２２が、本発明の第１実施形態としての変位記録装置と同様に複数の標識部材２２１により構成されていてもよい。
【００４５】
前記実施形態において、支持部材１２２が貫通孔を有し、当該貫通孔に長尺部材２０が通されるように回し掛けされることで、当該支持部材１２２により長尺部材２０が支持されていてもよい。これにより、長尺部材２０がその撓みなどにより、支持部材１２２に回し掛けされた状態が解除されてしまう事態が確実に防止できる。 
【符号の説明】
【００４６】
１１‥第１部材、１２‥第２部材、２０‥長尺部材、２１‥第１要素、２２‥第２要素、２２１‥複数の標識部材、２２２‥標識、２２４‥被覆、Ｐ０‥中間箇所、Ｐ０１‥第１中間箇所、Ｐ０２‥第２中間箇所、Ｐ１‥第１箇所、Ｐ２‥第２箇所、Ｘ１‥第１方向、Ｘ２‥第２方向。
【図１】
2018204986.tif 000003
【図２Ａ】
2018204986.tif 000004
【図２Ｂ】
2018204986.tif 000005
【図３】
2018204986.tif 000006
【図４Ａ】
2018204986.tif 000007
【図４Ｂ】
2018204986.tif 000008
【図４Ｃ】
2018204986.tif 000009
【図４Ｄ】
2018204986.tif 000010
【図５】
2018204986.tif 000011
【図６】
2018204986.tif 000012
【図７Ａ】
2018204986.tif 000013
【図７Ｂ】
2018204986.tif 000014
【図８】
2018204986.tif 000015
【図９】
2018204986.tif 000016